(57)【要約】【課題】内容物を詰替える際に、軟包装袋から内容物を確実に流出させながら、軟包装袋の開口が詰替え先容器の詰替え口部から外れることを抑制できる、軟包装袋と詰替え先容器との嵌合構造及びこれらのセットを提供する。【解決手段】軟包装袋と詰替え先容器との嵌合構造であって、軟包装袋は、開口予定線と、開口パーツとを備え、開口パーツは、開口を開口した状態に保持可能であり、詰替え先容器は、収納部と、詰替え口部と、スリットを有する筒状部と、筒状部の内壁間に架け渡された支持部から収納部の外方に向かって立設され、収納部から離れるにつれて幅が狭くなる部分を有し、軟包装袋の開口に挿入して開口した状態とすることが可能な１枚以上の板状部材から構成されるガイド部とを備える。【選択図】図１
2019011072.tif 000002
【特許請求の範囲】
【請求項１】
軟包装袋の内容物を詰替え先容器へ詰替えるための、前記軟包装袋と前記詰替え先容器との嵌合構造であって、
前記軟包装袋は、
収容部の端部に形成された開口予定線と、
前記開口予定線の近傍の前記軟包装袋内方よりに取付けられた開口パーツとを備え、
前記開口パーツは、
前記開口予定線に沿って前記軟包装袋の一部を破断することにより形成される開口を開口した状態に保持可能であり、
前記詰替え先容器は、
前記軟包装袋から詰替えられた内容物を収納するための収納部と、
前記内容物を前記収納部に充填するための開口である詰替え口部と、
前記詰替え口部から外方に延出するように設けられた、前記軟包装袋の開口近傍の側縁を挿入可能なスリットを有する筒状部と、
前記筒状部の内壁間に架け渡された支持部から前記収納部の外方に向かって立設され、前記収納部から離れるにつれて幅が狭くなる部分を有し、前記軟包装袋の開口に挿入して開口した状態とすることが可能な１枚以上の板状部材から構成されるガイド部とを備える、軟包装袋と詰替え先容器との嵌合構造。
【請求項２】
前記詰替え口部は円形の開口であり、
前記ガイド部は、複数の板状部材から構成され、
前記複数の板状部材のそれぞれは、
前記筒状部の中心軸において端部が接して、平面視において前記中心軸を中心に放射状に配置され、
前記収納部から離れるにつれて、前記中心軸に向かって幅が狭くなる、
請求項１に記載の軟包装袋と詰替え先容器との嵌合構造。
【請求項３】
前記ガイド部の前記板状部材の数は４枚であり、互いに直交する、請求項２に記載の軟包装袋と詰替え先容器との嵌合構造。
【請求項４】
軟包装袋の内容物を詰替え先容器へ詰替えるための、前記軟包装袋と前記詰替え先容器とのセットであって、
前記軟包装袋は、
収容部の端部に形成された開口予定線と、
前記開口予定線の近傍の前記軟包装袋内方よりに取付けられた開口パーツとを備え、
前記開口パーツは、
前記開口予定線に沿って前記軟包装袋の一部を破断することにより形成される開口を開口した状態に保持可能であり、
前記詰替え先容器は、
前記軟包装袋から詰替えられた内容物を収納するための収納部と、
前記内容物を前記収納部に充填するための開口である詰替え口部と、
前記詰替え口部から外方に延出するように設けられた、前記軟包装袋の開口近傍の側縁を挿入可能なスリットを有する筒状部と、
前記筒状部の内壁間に架け渡された支持部から前記収納部の外方に向かって立設され、前記収納部から離れるにつれて幅が狭くなる部分を有し、前記軟包装袋の開口に挿入して開口した状態とすることが可能な１枚以上の板状部材から構成されるガイド部とを備える、軟包装袋と詰替え先容器とのセット。
【発明の詳細な説明】
【技術分野】
【０００１】
本発明は、軟包装袋と詰替え先容器との嵌合構造及びこれらのセットに関するものである。
【背景技術】
【０００２】
粉末状、顆粒状、液状等の内容物を包装し、これらの内容物を詰替え先容器に詰替えるための包装容器が知られている。
【０００３】
特許文献１には、内容物の詰替え作業を容易に行えるとともに、廃棄が容易な詰替え用包装容器が開示されている。特許文献１の包装容器は、紙を主体とする材料を用いた開放端を有する筒形状の容器本体と、容器本体の内部に収納され、開放端に向かって径の狭まる漏斗とを備える。この包装容器により内容物を詰替える際には、包装容器の開放端を詰替え先容器の詰替え口に押し当てて、開放端に取付けたメンブレンを破断することにより、内容物の詰替えを行うことができる。
【先行技術文献】
【特許文献】
【０００４】
【特許文献１】特開２０１４−００１０１４号公報
【発明の概要】
【発明が解決しようとする課題】
【０００５】
特許文献１の包装容器以外にも、容器本体の廃棄処理の容易さ等の観点から、詰替え用包装容器の容器本体にフレキシブル包装袋（パウチ）等の軟包装袋が用いられる場合があった。
【０００６】
しかしながら、軟包装袋を容器本体に用いた包装容器は、容器本体の柔らかさのために、内容物を詰替える際に、軟包装袋が詰替え先容器の詰替え口から外れて内容物がこぼれてしまい、手や詰替え先容器等を汚してしまうおそれがあった。
【０００７】
本発明はこのような課題に鑑みてなされたものであり、内容物を詰替える際に、軟包装袋から内容物を確実に流出させるとともに、軟包装袋が詰替え先容器の詰替え口部から外れることを抑制できる、軟包装袋と詰替え先容器との嵌合構造及びこれらのセットを提供することを目的とする。
【課題を解決するための手段】
【０００８】
上記課題を解決するための本発明の一局面は、軟包装袋の内容物を詰替え先容器へ詰替えるための、軟包装袋と詰替え先容器との嵌合構造であって、軟包装袋は、収容部の端部に形成された開口予定線と、開口予定線の近傍の軟包装袋内方よりに取付けられた開口パーツとを備え、開口パーツは、開口予定線に沿って軟包装袋の一部を破断することにより形成される開口を開口した状態に保持可能であり、詰替え先容器は、軟包装袋から詰替えられた内容物を収納するための収納部と、内容物を収納部に充填するための開口である詰替え口部と、詰替え口部から外方に延出するように設けられた、軟包装袋の開口近傍の側縁を挿入可能なスリットを有する筒状部と、筒状部の内壁間に架け渡された支持部から収納部の外方に向かって立設され、収納部から離れるにつれて幅が狭くなる部分を有し、軟包装袋の開口に挿入して開口した状態とすることが可能な１枚以上の板状部材から構成されるガイド部とを備える、軟包装袋と詰替え先容器との嵌合構造である。
【０００９】
また、本発明の他の局面は、上述の軟包装袋と詰替え先容器とのセットである。
【発明の効果】
【００１０】
本発明によれば、内容物を詰替える際に、軟包装袋から内容物を確実に流出させるとともに、軟包装袋が詰替え先容器の詰替え口部から外れることを抑制できる、軟包装袋と詰替え先容器との嵌合構造及びこれらのセットを提供することができる。
【図面の簡単な説明】
【００１１】
【図１】本発明の第１の実施形態に係る軟包装袋と詰替え先容器との概要を示す図
【図２】本発明の第１の実施形態に係る軟包装袋の正面図
【図３】本発明の第１の実施形態に係る軟包装袋の開口パーツの概要を示す図
【図４】本発明の第１の実施形態に係る詰替え容器の嵌合部の概要を示す図
【図５】本発明の第１の実施形態に係る軟包装袋から詰替え先容器への詰替え方法を説明する斜視図
【図６】本発明の第２の実施形態に係る軟包装袋と詰替え先容器との概要を示す図
【図７】本発明の第３の実施形態に係る軟包装袋と詰替え先容器との概要を示す図
【発明を実施するための形態】
【００１２】
本発明の実施形態に係る軟包装袋と詰替え先容器との嵌合構造、及び軟包装袋と詰替え先容器とのセットについて、図を参照して説明する。なお、各実施形態において、同一または対応する構成には、同一の参照符号を付して説明を省略する。
【００１３】
＜第１の実施形態＞
図１に、本発明の第１の実施形態に係る軟包装袋１００と詰替え先容器２００とを示す。なお、図１に示す軟包装袋１００は、後述する開口予定線１１３に包装袋本体１１０を破断して開口を形成した状態を示している。
【００１４】
（軟包装袋）
軟包装袋１００は、粉末状、顆粒状、液状等の内容物を包装し、これらの内容物を詰替え先容器２００に詰替えるため包装容器である。図２に、軟包装袋１００の正面図を示す。軟包装袋１００は、包装袋本体１１０と、開口パーツ１２０とを含んで構成される。
【００１５】
［包装袋本体］
包装袋本体１１０は、一例として、２つの側面フィルムと、これらの間に２つ折りにして挟み込まれた底フィルムとにより構成されるフレキシブル包装袋である。包装袋本体１１０は、一方の側面フィルムと、２つ折りにした底フィルムと、他方の側面フィルムとを、この順に重ね合わせた後、２つの側面フィルムの周縁部をシールしてシール部１１１を形成する。これにより、内容物を収納するための空間である収容部１１２と内容物を流出させるための開口が形成される開口予定部１１４とが形成される。収容部１１２は、図２に示すように、詰替え時に内容物の流出を促すために開口予定部１１４に向かって幅の小さくなる漏斗部を備えてもよい。
【００１６】
また、包装袋本体１１０は、内容物を詰替える際に、包装袋本体１１０の一部を破断するための開口予定線１１３を備える。図２に示すように、開口予定線１１３は、例えば、収容部１１２の端部を通過するように、包装袋本体１１０の対向する端部間にわたって形成されている。開口予定線１１３に沿って軟包装袋１１０の一部を破断することにより、軟包装袋１００には開口が形成される。開口予定線１１３には、例えば、側面フィルムの表面に形成するハーフカットやミシン目等の弱化線を採用できる。また、側面フィルムの破断を容易にするために、開口予定線１１３の端部に包装袋本体１１０の内方に向かって形成された一対のノッチ（切欠き）を設けてもよい。
【００１７】
［開口パーツ］
開口パーツ１２０は、開口予定線１１３の近傍の軟包装袋１００内方よりに取付けられ、軟包装袋１００に形成された開口を開口した状態に保持するための部材である。図３に、開口パーツ１２０の概要を示す斜視図を示す。図３の（ａ）は、開口パーツ１２０が延伸して、包装袋本体１１０が開口していない（閉じている）状態を示す。図３の（ｂ）は、開口パーツ１２０が屈曲して、包装袋本体１１０の開口が開口状態に保持されている状態を示す。
【００１８】
開口パーツ１２０は、一例として、同一形状の２つの帯状部材１２１を長手方向の端部を接続して形成される。それぞれの帯状部材１２１は、長手方向中央と、中央から長手方向の端部側に所定距離離れた位置との３箇所の表面に、幅方向にわたって形成された線状の窪みからなる屈曲部を備える。
【００１９】
このようにして、形成された開口パーツ１２０は、端部を近づける方向（図３の（ａ）に黒矢印で示す方向）への力を加えて、帯状部材１２１を屈曲させることができる。これにより、帯状部材１２１の中央において２つの帯状部材１２１の対向面どうしが離れ、付勢力により帯状部材１２１の屈曲状態が保持される（図３の（ｂ））。
【００２０】
開口パーツ１２０は、図１、図２に示すように、開口予定線１１３の近傍の軟包装袋１００内方よりに、例えば、接着等の方法により取付けることができる。これにより、軟包装袋１００の一部を破断して収容部１１２に開口を形成した後に、開口パーツ１２０の帯状部材１２１を屈曲させることで、開口した状態に保持することができる。
【００２１】
開口パーツ１２０は、軟包装袋１００の開口を開口した状態に保持することができれば、形状は限定されず、例えば、一枚の帯状部材を半分に折曲げることにより形成をしてもよい。また、軟包装袋１００では、開口パーツ１２０は側面フィルムの外面に取り付けたが、側面フィルムの内面、すなわち、収容部１１２の内部に取付けてもよい。
【００２２】
（詰替え先容器）
詰替え先容器２００は、軟包装袋１００の内容物を詰替えて収納するための容器である。詰替え先容器２００は、収納部２１０と、詰替え口部２１１と、嵌合部２３０とを含んで構成される。詰替え先容器２００は、包装容器単体でもよく、各種機械装置の一部としての材料貯蔵部等であってもよい。
【００２３】
［収納部及び詰替え口部］
収納部２１０は、軟包装袋１００から詰替えられた内容物を収納するための部材である。また、詰替え口部２１１は、収納部２１０に内容物を充填するために、収納部２１０に設けられた開口である。詰替え口部２１１は、例えば、円形に形成することができる。
【００２４】
［嵌合部］
嵌合部２３０は、詰替え口部２２０に設けられて軟包装袋１００の開口と嵌合する部材である。図４は、嵌合部２３０の概要を示す図である。図４の（ａ）は、嵌合部２３０の平面図であり、図４の（ｂ）は、嵌合部２３０を側面から見た部分断面図である。図４に示すように、嵌合部２３０は、スリット２３１を有する筒状部２３０と、ガイド部２４０と、周壁２５０とを含んで構成される。
【００２５】
スリット２３１を有する筒状部２３０は、嵌合部２２０に軟包装袋１００の開口が嵌合する際に、軟包装袋１００の開口近傍を嵌合部２３０に保持する。図４に示すように、筒状部２３０は、詰替え口部２１１から外方に延出するように設けられた中空の角柱であり、対向する２つの角に側壁の一部を所定幅で切り欠いたスリット２３１が形成されている。
【００２６】
ガイド部２４０は、嵌合部２３０に軟包装袋１００の開口を嵌合する際に、軟包装袋１００の開口を拡げるための部材である。図４に示すように、ガイド部材２３３は、筒状部２３０の内壁間に架け渡された支持部２４１と、支持部２３４から収納部２１０の外方に向かって立設された板状部材２４２とを含む。
【００２７】
ガイド部２４０は、一例として、４枚の板状部材２４２から構成されている。４枚の板状部材２４２のそれぞれは、筒状部２３０の中心軸（図示しない）において互いに直交している。また、４枚の板状部材２３５のそれぞれは、収納部２１０から離れるにつれて、筒状部２３０の中心軸に向かって幅が狭くなるように形成されている。
【００２８】
板状部材２４２の数は、限定されない。また、板状部材２４２の数が、複数である場合は、複数の板状部材２３５のそれぞれは、筒状部２３０の中心軸において端部が接して、平面視において中心軸を中心に放射状に配置され、収納部２１０から離れるにつれて、中心軸に向かって幅が狭くなるように形成されることが好ましい。
【００２９】
周壁２５０は、詰替え口部２１１の開口端縁から収納部２１０の外方に向かって立設されている筒状の部材であり、嵌合部２３０を保護するための図示しないキャップを取付けるための台座である。
【００３０】
（詰替え方法）
次に、軟包装袋１００の内容物を詰替え先容器２００へ詰替える方法の一例を、図５を参照して説明する。図５は、軟包装袋１００から詰替え先容器２００への内容物の詰替え方法を説明する斜視図である。
【００３１】
初めに、軟包装袋１００の一部を開口予定線１１３に沿って破断する。その後、開口パーツ１２０を屈曲させることにより開口を開口状態に保持する。
【００３２】
次に、図５に示すように、開口状態に保持された軟包装袋１００の開口を詰替え先容器２００の嵌合部２３０へ嵌合する。具体的には、ガイド部材２４０を軟包装袋１００の開口に挿入しながら、同時に、筒状部２３０のスリット２３１へ軟包装袋１００の開口近傍の側縁を挿入する。これにより、軟包装袋１００の開口は、ガイド部材２４０によって開口が促されるとともに、開口の内方から開口状態が保持される。また、軟包装袋１００の開口近傍の端部は、ガイド部材２４０により嵌合部２３０に確実に固定される。
【００３３】
そして、軟包装袋１００が嵌合部２３０へ嵌合された状態で、軟包装袋１００の収容部１１２を嵌合部２３０の上方に持ち上げることにより、内容物は軟包装袋１００の開口を通って、詰替え口部２１１から収納部２１０へ流入することができる。
【００３４】
このように、軟包装袋１００と詰替え先容器２００との嵌合構造によれば、開口パーツ１２０により開口状態が保持された軟包装袋１００の開口を、ガイド部材２４０により拡げるとともに、開口近傍の側縁を筒状部２３０のスリット２３１によって固定することができる。したがって、内容物を詰替える際に、軟包装袋１００から内容物を確実に流出させながら、軟包装袋１００の開口が詰替え先容器２００の詰替え口部２１１から外れることを抑制できる。
【００３５】
＜第２の実施形態＞
図６に、本発明の第２の実施形態に係る軟包装袋１０１と詰替え先容器２００との概要を示す。図６の（ａ）は、軟包装袋１０１の正面図である。また、図６の（ｂ）は、軟包装袋１０１を詰替え先容器２００へ嵌合させる方法を示す図である。
【００３６】
軟包装袋１０１と軟包装袋１００との相違点は、包装袋本体１１０の形状である。図６の（ａ）に示すように、軟包装袋１０１では、軟包装袋１００の漏斗部上方のシール部１１１により形成される角を無くして、漏斗部に沿ってなだらかに拡がる形状とした。なお、詰替え先容器２００及び詰替え方法については、第１の実施形態と同様であるため説明を省略する。
【００３７】
＜第３の実施形態＞
図７に、本発明の第３の実施形態に係る軟包装袋１０２と詰替え先容器２０１との概要を示す。図７の（ａ）は、軟包装袋１０２の正面図である。また、図７の（ｂ）は、軟包装袋１０２を詰替え先容器２０１へ嵌合させる方法を示す図である。
【００３８】
軟包装袋１０２と軟包装袋１００との相違点は、包装袋本体１１０の形状、開口パーツ１２０の形状、及びその取付け位置である。また、詰替え先容器２００と詰替え先容器２０１との相違点は、筒状部２３０の形状である。
【００３９】
図７の（ａ）に示すように、軟包装袋１０２では、包装袋本体１１０は、略矩形状の側面フィルムの一方側の上方角部を斜めに切り落とし、そこから延出する円筒状の注出口を追加した形状とした。また、開口パーツ１２０は、円筒状の部材とし、注出口の内周面に取付けた。さらに、詰替え先容器２０１の筒状部２３０の形状は、開口パーツ１２０の形状に合わせて円柱形状とした。
【００４０】
軟包装袋１０２は、開口予定線１１３に沿ってその一部が破断されると、開口パーツ１２０の付勢力によって注出口が開くため、ガイド部材２４０を容易に開口した注出口に挿入することができる。
【００４１】
（変形例）
上記の実施形態では、包装袋本体１１０として自立性を有するフレキシブル包装袋を用いたが、包装袋本体はフィルムの端縁をシールすることにより収容部を形成したものであればこの形態に限定されず、例えば、三方シール袋、四方シール袋、ガゼット袋、ピロー包装袋等の周知の形態を採用できる。
【００４２】
軟包装袋１００に自立性を有する包装袋を採用した場合は、軟包装袋１００の流通形態を、成立させたときに胴部の中央で折れ曲がり、開口予定部１１４が下方を向くようにしてもよい。軟包装袋１００をこのような形態で流通させることで、軟包装袋１００と詰替え先容器２００とを嵌合させた後に、収容部１１２を上方に持ち上げて内容物を流出させることができる。これにより、軟包装袋１００を詰替え先容器２００に嵌合する際に、開口から内容物がこぼれてしまうことを防止できる。
【産業上の利用可能性】
【００４３】
本発明は、軟包装袋の内容物を詰替え先容器へ詰替えるための、軟包装袋と詰替え先容器との嵌合構造に好適に用いることができる。
【符号の説明】
【００４４】
１００、１０１、１０２    軟包装袋
１１０    包装袋本体
１１１    シール部
１１２    収容部
１１３    開口予定線
１１４    開口予定部
１２０    開口パーツ
２００    詰替え先容器
２１０    収納部
２１１    詰替え口部
２２０    嵌合部
２３０    筒状部
２３１    スリット
２４０    ガイド部
２４１    支持部
２４２    板状部材
２５０    周壁
【図１】
2019011072.tif 000003
【図２】
2019011072.tif 000004
【図３】
2019011072.tif 000005
【図４】
2019011072.tif 000006
【図５】
2019011072.tif 000007
【図６】
2019011072.tif 000008
【図７】
2019011072.tif 000009